(57)【要約】【課題】外扉を開放操作する際、規制部材の他端が第１ストッパー溝に自動的に導かれ、外扉の開度設定作業が容易になる自動販売機の外扉ストッパー装置を提供する。【解決手段】自動販売機の外扉ストッパー装置は、各ストッパ溝６１３，６１４，６１５のうちの第１ストッパー溝６１３が外扉５の開操作により規制棒６２の他端６２１に加わる移動力の移動方向と一致するよう延在された構造となっている。これにより、外扉５を開放した際、規制棒６２の他端が案内溝６１２を介して第１ストッパー溝６１３に自動的に案内され、外扉５の開度が第１ストッパー溝６１３で設定された開度となる。ここで、第１ストッパー溝６１３の設定開度を最も頻繁に設定される開度とするときは、通常の外扉５の開放操作において、面倒な開度設定作業が不要となる。【選択図】  図５
2004362239.tif 000002
【特許請求の範囲】
【請求項１】
自動販売機本体の左右方向に延在された案内溝と該案内溝から分岐された複数のストッパー溝とを有するストッパー部材と、一端が外扉に枢支されかつ他端が該案内溝及び該各ストッパー溝に摺動自在に連結された規制部材とを備え、外扉を開放するとき該規制部材の他端を選択された該ストッパー溝に摺動させ、該外扉の開度を複数段に設定できる自動販売機の外扉ストッパー装置において、
前記各ストッパ溝のうちの第１ストッパー溝の延在方向を、前記外扉の開操作により前記規制部材の他端に加わる移動力の移動方向と対応させた
ことを特徴とする自動販売機の外扉ストッパー装置。
【請求項２】
前記第１ストッパ溝で設定される前記外扉の開度は、該外扉が最も頻繁に設定される通常設定開度である
ことを特徴とする請求項１記載の自動販売機の外扉ストッパー装置。
【発明の詳細な説明】
【０００１】
【発明の属する技術分野】
本発明は、外扉の開度を複数段に設定できる自動販売機の外扉ストッパー装置に関するものである。
【０００２】
【従来の技術】
従来、この種の外扉ストッパー装置として、特開２００１−１７５９４１号公報に記載されたものが知られている。
【０００３】
この公報に記載された外扉ストッパー装置は、自動販売機本体の底板に設置された板状のストッパー受け金具と、一端が外扉に枢支されかつ他端がストッパー受け金具に連結した規制棒とから構成されている。このストッパー受け金具は左右方向に延在された案内溝を有し、この案内溝から複数のストッパー溝が分岐している。各ストッパー溝は外扉の開度が６０°や９０°となるよう各々設定されている。一方、規制棒の他端が案内溝及び各ストッパー溝に摺動自在に連結している。
【０００４】
ここで、外扉を開放するとき、規制棒は次のように動作する。即ち、外扉の開放操作により規制棒の一端の位置も自動販売機本体から離隔する方向に移動する。この離隔移動により、規制棒の他端が案内溝の後方から前方に向かって移動し、更に、案内溝の移動中に各ストッパー溝との分岐部分に到達する。分岐部分に到達したときは、各ストッパー溝のうちの何れかのストッパー溝に向かって規制棒の他端を導く。これにより、規制棒の他端が選択されたストッパー溝で係止され、このストッパー溝の設定開度で外扉が開放する。
【０００５】
【特許文献１】
特開２００１−１７５９４１号公報
【０００６】
【発明が解決しよとする課題】
ところで、規制棒の他端を各ストッパー溝に導くときは、その都度、操作者の手や足で規制棒の他端をストッパー溝に導かなければならない。
【０００７】
しかしながら、外扉の開度には頻繁に設定される開度（通常設定開度）と、さほど設定されることがない開度があり、通常設定開度を設定する際、常に手や足で規制棒を導くのでは、面倒な外扉の開度設定が頻繁になるという問題点を有していた。
【０００８】
本発明の目的は前記従来の課題に鑑み、外扉を開放操作する際、規制部材の他端が第１ストッパー溝に自動的に導かれ、外扉の開度設定作業が容易になる自動販売機の外扉ストッパー装置を提供することにある。
【０００９】
【課題を解決するための手段】
本発明は前記課題を解決するため、自動販売機本体の左右方向に延在された案内溝と案内溝から分岐された複数のストッパー溝とを有するストッパー部材と、一端が外扉に枢支されかつ他端が案内溝及び各ストッパー溝に摺動自在に連結された規制部材とを備え、外扉を開放するとき規制部材の他端を選択されたストッパー溝に摺動させ、外扉の開度を複数段に設定できる自動販売機の外扉ストッパー装置において、各ストッパ溝のうちの第１ストッパー溝の延在方向を、外扉の開操作により規制部材の他端に加わる移動力の移動方向と対応させた構造となっている。
【００１０】
本発明によれば、外扉を開放した際、規制棒の他端が案内溝を介して第１ストッパー溝に自動的に案内され、外扉の開度が第１ストッパー溝で設定された開度となる。ここで、第１ストッパー溝の設定開度を最も頻繁に設定される開度とするときは、通常の外扉の開放操作において、面倒な開度設定作業が不要となる（請求項２）。
【００１１】
【発明の実施の形態】
図１乃至図８は本発明に係る自動販売機の外扉ストッパー装置の一実施形態を示すもので、図１は自動販売機の扉開放状態を示す斜視図、図２は外扉ストッパー装置の正面断面図、図３はストッパー受け金具の平面図、図４は外扉閉鎖時の外扉ストッパー装置の平面図、図５は分岐部に規制棒の他端が移動した状態を示す外扉ストッパー装置の平面図、図６は第１ストッパー溝に規制棒の他端が移動した状態を示す外扉ストッパー装置の平面図、図７は第２ストッパー溝に規制棒の他端が移動した状態を示す外扉ストッパー装置の平面図、図８は第３ストッパー溝に規制棒の他端が移動した状態を示す外扉ストッパー装置の平面図である。
【００１２】
まず、図１を参照して自動販売機の全体構造を説明する。自動販売機１は複数のサーペンタインコラム２を並設した自動販売機本体３と、自動販売機本体３の前面開口を覆う内扉４と、内扉４の前面を開閉する外扉５とを有している。外扉５は自動販売機本体３のコーナに設置された軸５１を中心に回動自在となっており、外扉５を手前に引くことより、外扉５の開操作が行われる。自動販売機本体３の底板３１及び外扉５の下部の固定板５２には外扉ストッパー装置６が設置されている。
【００１３】
以下、外扉ストッパー装置６の構成を主に図２乃至図８を参照して説明する。外扉ストッパー装置６は、ストッパー受け金具６１と規制棒６２とから構成されている。
【００１４】
このストッパー受け金具６１は、図１に示すように、底板３１に設置されている。ストッパー受け金具６１は横長長方形状となっており、その周囲の取り付けフランジ６１０のネジ穴６１１を介して底板３１にネジ止めされている。ストッパー受け金具６１には左右方向に延在され上下に貫通した案内溝６１２が形成されている。案内溝６１２の幅は規制棒６２の径より僅かに大きくなっている。案内溝６１２のやや後方（図２乃至図８に向かって右側）には、第１ストッパー溝６１３と第２ストッパー溝６１４に分岐する分岐部６１２ａが形成されている。また、案内溝６１２の先端側（図２乃至図８に向かって左側）には、第３ストッパー溝６１５が形成されている。なお、第１乃至第３ストッパー溝６１３〜６１５の幅は案内溝６１２と同様に規制棒６２の径より僅かに大きくなっている。
【００１５】
第１ストッパー溝６１３は、図５に示すように、外扉５が開放する際に規制棒６２に加わる移動力（実線矢印）と同一方向となるよう分岐部６１２ａから斜め前方に向かって延在されている。また、第１ストッパー溝６１３の先端側には保持溝６１３ａが形成されている。この保持溝６１３ａは斜め上方に延在されており、図６に示すように、保持部６１３ａに規制棒６２の他端６２１が填り込んだとき外扉５の開度（９０°）が設定されるようになっている。
【００１６】
第２ストッパー溝６１４は、図３に示すように、分岐部６１２ａから斜め後方に向かって延在されている。また、第１ストッパー溝６１４の先端側には保持溝６１４ａが形成されている。また、図７に示すように、保持部６１４ａに規制棒６２の他端６２１が填り込んだとき外扉５の開度（６０°）が設定されるようになっている。
【００１７】
第３ストッパー溝６１５は、図３に示すように、案内溝６１２の先端から斜め前方に延在されている。また、第３ストッパー溝６１５の先端側には保持溝６１５ａが形成されている。この保持溝６１５ａは斜め上方に延在されており、図８に示すように、保持部６１５ａに規制棒６２の他端６２１が填り込んだとき外扉５の開度（１３０°）が設定されるようになっている。
【００１８】
一方、規制棒６２はその一端６２０が上方に向かって屈曲し、他端６２１が下方に向かって屈曲している。規制棒６２の一端６２０は、図１及び図２に示すように、外扉５の固定板５２に貫通している。また、規制棒６２の一端６２０には抜け止めリング６２２が填め込まれており、規制棒６２の一端６２０が固定板５２に回動自在に枢支されている。規制棒６２の他端６２１は、図１及び図２に示すように、案内溝６１２及び各ストッパー溝６１３，６１４，６１５に摺動自在に貫通している。また、規制棒６２の他端６２１は抜け止めリング６２３が填め込まれており、規制棒６２の他端６２１がストッパー受け金具６１に連結している。
【００１９】
本実施形態に係る外扉ストッパー装置６を用いて外扉５の開度を調整するときは、次のような操作を行う。
【００２０】
自動販売機本体３の前面が外扉５により閉鎖されているときは、図４に示すように、規制棒６の他端６２１は案内溝６１２の後方の端に位置している。ここで、外扉５を開放するときは、規制棒６の他端６２１が案内溝６１２を介して前方に向かって移動し、図５に示すように、分岐部６１２ａの位置に移動する。このとき、外扉５の開放動作に伴い、規制棒６２には図５の実線矢印に示す移動力が作用している。ここで、この移動力が付与される方向と第１ストッパー溝６１３の延在方向が同一となっているため、規制棒６２の他端６２１が第１ストッパー溝６１３に導かれる。規制棒６２の他端６２１は、その後保持溝６１３ａに移動し、図６に示すように、保持溝６１３ａで移動停止する。
【００２１】
これにより、図６に示すように、外扉５が９０°開いた状態で、外扉５の開放操作が終了する。また、この保持溝６１３ａでは規制棒６２の後方への移動も規制されるため、外扉５の閉鎖方向への移動も規制される。
【００２２】
このように、本実施形態に係る外扉ストッパー装置６は、外扉５を開放操作するだけで自動的に９０°に開度設定される。ここで、この設定開度が最も頻繁に行われる設定開度（通常設定開度）となっているため、通常の外扉５の開放操作において、開度設定作業が不要となる。
【００２３】
第２ストッパー溝６１４による開度設定（６０°設定）を望むときは、次のような操作を行う。即ち、図５に示すように、規制棒６２の他端６２１が分岐部６１２ａに移動したとき、図７に示すように、操作者は手又は足を用いて規制棒６２の他端６２１を第２ストッパー溝６１４に向かって移動させる。これにより、規制棒６２が第２ストッパー溝６１４を通じて保持溝６１４ａに保持され、外扉５が開度６０°に設定される。
【００２４】
第３ストッパー溝６１５による開度設定（１３０°設定）を望むときは、次のような操作を行う。即ち、図５に示すように、規制棒６２の他端６２１が分岐部６１２ａに移動したとき、図８に示すように、操作者は手又は足を用いて規制棒６２の他端６２１を第３ストッパー溝６１５に向かって移動させる。これにより、規制棒６２が第３２ストッパー溝６１５を通じて保持溝６１５ａに保持され、外扉５が開度１３０°に設定される。
【００２５】
なお、前記実施形態では外扉５の自動開度設定を９０°に設定しているが、１３０°に設定するようにしても良い。このときは、図示しないが第１ストッパー溝６１３に代えて、案内溝６１２の途中から斜め後方に延びる案内溝（第２ストッパー溝６１４と同様の溝）を形成すればよい。
【００２６】
【発明の効果】
以上説明したように、本発明によれば、第１ストッパー溝の設定開度を最も頻繁に設定される開度とするとき、通常の外扉の開放操作において、面倒な外扉開度設定作業が不要となり、外扉の開度設定が極めて簡単になる。
【図面の簡単な説明】
【図１】自動販売機の扉開放状態を示す斜視図
【図２】外扉ストッパー装置の正面断面図
【図３】ストッパー受け金具の平面図
【図４】外扉閉鎖時の外扉ストッパー装置の平面図
【図５】分岐部に規制棒の他端が移動した状態を示す外扉ストッパー装置の平面図
【図６】第１ストッパー溝に規制棒の他端が移動した状態を示す外扉ストッパー装置の平面図
【図７】第２ストッパー溝に規制棒の他端が移動した状態を示す外扉ストッパー装置の平面図
【図８】第３ストッパー溝に規制棒の他端が移動した状態を示す外扉ストッパー装置の平面図
【符号の説明】
１…自動販売機、３…自動販売機本体、５…外扉、６…外扉ストッパー装置、６１…ストッパー受け金具、６２…規制棒、６１２…案内溝、６１３，６１４，６１５…ストッパー溝、６２０…規制棒の一端、６２１…規制棒の他端。
【図１】
2004362239.tif 000003
【図２】
2004362239.tif 000004
【図３】
2004362239.tif 000005
【図４】
2004362239.tif 000006
【図５】
2004362239.tif 000007
【図６】
2004362239.tif 000008
【図７】
2004362239.tif 000009
【図８】
2004362239.tif 000010